(57)【特許請求の範囲】
【請求項１】
コンピュータマザーボードが搭載され変形可能な可動ボックス（１）と、
変形ハウジング（２）と、
コーナーコネクタ（４）と、
モータアセンブリ（５）と、
円弧状の駆動レール（６）と、
伝動部材（７）と、を備え、
可動ボックス（１）は、その左、右、上、下側面にそれぞれ１つの放熱と換気のための放
熱開口（１１）が設けられ、その開口に調節と放熱のための放熱ポート部材（３）が搭載
され、可動ボックス（１）内の中央にコンピュータマザーボードおよび関連部材を装着す
るためのキャリアボード（１９）が設けられ、
可動ボックス（１）の一側面に埋め込まれたセンサー（１３）およびシングルチップマイ
クロコンピュータ（１４）は、煙の温度を監視し、モータアセンブリ（５）を制御して可
動ボックス（１）の回転伸縮を駆動し、
変形して放熱と保護を切り替えるための変形ハウジング（２）は、可動ボックス（１）の
上下側面に対称に設けられた第１変形プレート（２１）と、可動ボックス（１）の前後側
面に対称に設けられた第２変形プレート（２２）と、第１変形プレート（２１）の両側に
対称に設けられた第３変形プレート（２３）と、を含み、
第１変形プレート（２１）、第２変形プレート（２２）の上部に位置するスライドスロッ
ト（４１）は、コーナーコネクタ（４）の可動ロッド（４２）、伝動板（４３）、ギアロ
ッド（４４）、駆動ギア（４５）と接続され、
２つの第２変形プレート（２２）の中央に位置するモータアセンブリ（５）は、可動ボッ
クス（１）の両側に着脱可能に接続され、
２つの第１変形プレート（２１）に位置する円弧状の駆動レール（６）を備え、
円弧状の駆動レール（６）は、円弧状の駆動レール（６）上に位置する２組のレール溝（
６１）、溝内にそれぞれ設けられたスライダー（６２）、円弧状の駆動レール（６）の中
央に位置し伝動部材（７）を収容するための溝（６３）を含み、
伝動部材（７）は、両側の可動ロッド（７２）の動作を駆動するための中心回転ロッド（
７１）、中心回転ロッド（７１）の両端に可動可能に接続された可動ロッド（７２）、円
弧状の駆動レール（６）の中央における中心回転ロッド（７１）に対応する位置に設けら
れた伝動ギア（７３）を含み、前記伝動ギア（７３）は円弧状の駆動レール（６）を貫通
して中心回転ロッド（７１）の中心と接続され、接続箇所に回転および回復ためのねじり
ばね（７５）が設けられ、
円弧状の駆動レール（６）のシュート（６４）内に円弧状ラック（７４）が設けられ、そ
の端部がスライダー（６２）に接続され、伝動ギア（７３）で伝動され、
第３変形プレート（２３）は第１変形プレート（２１）とヒンジを介して接続され、且つ
回転軸を介して可動ロッド（７２）の外端に接続され、可動ボックス（１）の四隅に設け
られたプッシュブロック（１２）は、円弧状の駆動レール（６）のスライダー（６２）と
配合し伝動されることを特徴とする変形可能なコンピュータ保護ボックス構造。
【請求項２】
前記モータアセンブリ（５）は、
強化接続されたソケット（５３）と、
モータアセンブリ（５）がソケット（５３）を介して第２変形プレート（２２）内壁にね
じ接続され、ソケット（５３）の下部に位置し、出力端が大型電気プッシュロッド（５２
）に接続される回転モータ（５１）と、
出力端が接続具を介して可動ボックス（１）の対応側面にボルトで接続され、ソケット（
５３）の上部に位置し回転可能に接続される大型電気プッシュロッド（５２）と、を含み
前記回転モータ（５１）、大型電気プッシュロッド（５２）は、それぞれリレーを介して
前記シングルチップマイクロコンピュータ（１４）に接続されることを特徴とする請求項
１に記載のボックス構造。
【請求項３】
放熱ポート部材（３）をさらに備え、
放熱ポート部材（３）は、
回転ブレード（３１）と、
ダクト（３２）と、
調節ギア（３３）と、
直線ラック（３４）と、
小型電気プッシュロッド（３５）と、
ドライアイス消火器タンク（３６）と、
ノズルシリンダ（３７）と、を有し、
放熱開口（１１）の内壁側板に回転軸を介して接続された複数組の回転ブレード（３１）
は、可動ボックス（１）の通気と閉鎖を切り替え、その側壁に、液体二酸化炭素を噴霧す
るためのノズル（３１２）の噴霧部、隣接する回転ブレード（３１）の合併のための接合
部が設けられ、回転ブレード（３１）の上下端面の縁端にそれぞれ空気を導くためのトリ
ガーインターフェース（３１１）が設けられ、その上にトリガーガイド（３８）が設けら
れ、
トリガーガイド（３８）は、可動プランジャー（３７１）の緩やかな収縮を案内するガイ
ドプレート（３８２）、ガイドプレート（３８２）の中央に位置しトリガーインターフェ
ース（３１１）に連通され、上部の外保持溝（３８３）と下部の内保持溝（３８４）で構
成され、可動プランジャー（３７１）を封止と制限するための２段式フィッティングヘッ
ド（３８１）を含み、
放熱開口（１１）の内壁に位置し回転軸に接続された調節ギア（３３）は、その外側に噛
合い伝動用の直線ラック（３４）が設けられ、直線ラック（３４）の両側は可動ボックス
（１）の内壁に設けられたガイド溝（１５）を介して制限および固定され、その一端が可
動ボックス（１）内壁に設けられた小型電気プッシュロッド（３５）の出力端に接続され
、
可動ボックス（１）の中間層に埋め込まれたダクト（３２）は、トリガーインターフェー
ス（３１１）が回転した後の位置に対応する箇所に放熱開口（１１）の内壁側板を貫通す
るトリガーヘッド（３２１）が設けられ、
トリガーヘッド（３２１）は、噴射を案内および制御するためのノズルシリンダ（３７）
、ノズルシリンダ（３７）の前端に位置し可動に封止接続された可動プランジャー（３７
１）、その前端に設けられたトリガーインターフェース（３１１）と接合する液吐出口（
３７２）、その後部周方向に設けられた可動プランジャー（３７１）の伸縮深さに応じて
噴射を案内するための液案内ポート（３７３）を含み、可動プランジャー（３７１）の後
端にエンドピース（３７４）が設けられ、可動プランジャー（３７１）の後部に設けられ
た保持リング（３７５）と円筒ばね（３７６）を介して接続され、
可動ボックス（１）の後側下部に位置するスロットタンク（１７）内に、ダクト（３２）
とパイプラインを介して接続されたドライアイス消火器タンク（３６）が配置され、
ただし、スロットタンク（１７）の外部ギャップにアスベスト板で作られた保護ドア（１
８）が設けられ、小型電気プッシュロッド（３５）がリレーを介してシングルチップマイ
クロコンピュータ（１４）に接続されることを特徴とする請求項１に記載のボックス構造
。
【請求項４】
回転ブレード（３１）の接合部に設けられ、内部に磁性材料が充填され、磁性を持たせ、
隣接する回転ブレード（３１）の吸着接合の封止効果を高めるシールストリップと、
放熱開口（１１）外側に設けられ、可動ボックス（１）の外壁にスロット溝を介してスラ
イドし着脱可能に接続された防塵ネット（１６）と、をさらに備え、
回転ブレード（３１）は、ストレートプレートタイプ、ダイヤモンドタイプ、又はアーク
タイプであり、ステンレス鋼で形成されることを特徴とする請求項３に記載のボックス構
造。
【請求項５】
第１、第２、第３変形プレート（２１、２２、２３）の内壁に設けられた衝撃吸収のため
の衝撃吸収保護シート（８）をさらに備え、
衝撃吸収保護シート（８）は、第１、第２、第３変形プレート（２１、２２、２３）の内
壁一側に固定された固定板（８１）と、衝撃吸収ばね（８２）を介して固定板（８１）に
接続されたパッド（８３）を含むことを特徴とする請求項１に記載のボックス構造。
【発明の詳細な説明】
【技術分野】
【０００１】
本発明は、コンピュータ機器の技術分野に関し、具体的に変形可能なコンピュータ保護ボ
ックス構造に関する。
【背景技術】
【０００２】
日本の京都アニメーションスタジオの爆発と火災は、京都アニメーションと業界全体にと
って大きな損失であり、この火災で多くの京都アニメーションと労働者の努力が失われ、
コンピュータを自動的に保護するボックス構造を開発し、コンピュータの自動保護作用を
実現すれば、設計作業者などは、コンピュータ機器を心配することなく、自分自身を保護
することを迅速に選択でき、被害者の数をある程度減らすことができる。
【０００３】
既存のボックス構造には、コンピュータを体系的かつ包括的に保護する能力がないことが
わかり、さらに、保護ケースをコンピュータの外側に直接包むと、その美的外観が大きく
影響されるだけでなく、コンピュータが熱を放散しにくくなり、したがって、外観や性能
に影響を与えずにコンピュータを効果的に保護し、コンピュータを保護し、火災や地震に
よるコンピュータへの損傷を減らし、コンピュータの損傷を防ぐボックス構造が必要で、
計り知れない損失を回避する。
【発明の概要】
【０００４】
上記の技術的問題を解決するために、本発明は、変形可能なコンピュータ保護ボックス構
造を提供する。
【０００５】
コンピュータマザーボードが搭載され変形可能な可動ボックスは、その左、右、上、下側
面にそれぞれ１つの放熱と換気のための放熱開口が設けられ、その開口に調節と放熱のた
めの放熱ポート部材が搭載され、可動ボックス内の中央にコンピュータマザーボードおよ
び関連部材を装着するためのキャリアボードが設けられ、可動ボックスの一側面に埋め込
まれたセンサーおよびシングルチップマイクロコンピュータは、煙の温度を監視し、モー
タアセンブリを制御して可動ボックスの回転伸縮を駆動し、変形して放熱と保護を切り替
えるための変形ハウジングは、可動ボックスの上下側面に対称に設けられた第１変形プレ
ートと、可動ボックスの前後側面に対称に設けられた第２変形プレートと、第１変形プレ
ートの両側に対称に設けられた第３変形プレートを含み、
第１変形プレート、第２変形プレートの上部に位置するスライドスロットは、コーナーコ
ネクタの可動ロッド、伝動板、ギアロッド、駆動ギアと接続され、２つの第２変形プレー
トの中央に位置するモータアセンブリは、可動ボックスの両側に着脱可能に接続され、２
つの第１変形プレートに位置する円弧状の駆動レールを備え、円弧状の駆動レールは、円
弧状の駆動レール上に位置する２組のレール溝、溝内にそれぞれ設けられたスライダー、
円弧状の駆動レールの中央に位置し伝動部材を収容するための溝を含み、伝動部材は、両
側の可動ロッドの動作を駆動するための中心回転ロッド、中心回転ロッドの両端に可動可
能に接続された可動ロッド、円弧状の駆動レールの中央における中心回転ロッドに対応す
る位置に設けられた伝動ギアを含み、前記伝動ギアは円弧状の駆動レールを貫通して中心
回転ロッドの中心と接続され、接続箇所に回転および回復ためのねじりばねが設けられ、
円弧状の駆動レールのシュート内に円弧状ラックが設けられ、その端部がスライダーに接
続され、伝動ギアで伝動され、
第３変形プレートは第１変形プレートとヒンジを介して接続され、且つ回転軸を介して可
動ロッドの外端に接続され、可動ボックスの四隅に設けられたプッシュブロックは、円弧
状の駆動レールのスライダーと配合し伝動される。
【０００６】
本発明の変形構造の設計を使用して、変形切替によりコンピュータの放熱および危険の場
合のコンピュータ保護問題を解決し、解決すべき主な技術的問題は、駆動部品を削減し変
形故障の発生を減らし、第１変形プレート内に設けられた円弧状の駆動レール、伝動部材
と可動ボックスの回転により第３変形プレートの開閉を実現し、第２変形プレート内の伝
動構造により第１変形プレートの昇降を実現し、上記の伝動構造はモータアセンブリに接
続され、保護ボックスの構造的変形をシングルドライブまたはデュアルドライブで効果的
に実現でき、ただし、可動ボックスの一方側にモータアセンブリが、もう他方側に回転軸
が設けられるモードはシングルドライブであり、モータアセンブリのモータ出力が高く、
ＵＰＳ電源に対する要求が高く、可動ボックスの両側にそれぞれモータアセンブリが設け
られる設置モードはデュアルドライブであり、モータアセンブリのモータ出力が小さく、
ＵＰＳ電源に対する要求が低いため、実際のニーズに応じて適宜に配置すればよい。
【０００７】
さらに、前記モータアセンブリは、強化接続されたソケットと、モータアセンブリがソケ
ットを介して第２変形プレート内壁にねじ接続され、ソケットの下部に位置し、出力端が
大型電気プッシュロッドに接続される回転モータと、出力端が接続具を介して可動ボック
スの対応側面にボルトで接続され、ソケットの上部に位置し回転可能に接続される大型電
気プッシュロッドと、を含み、ただし、前記回転モータ、大型電気プッシュロッドは、そ
れぞれリレーを介して前記シングルチップマイクロコンピュータに接続される。本発明は
、ソケットの設計により、回転モータと大型電気プッシュロッドを統合し、変形ハウジン
グとの接続安定性を高め、同時に日常の分解と保守にも便利である。
【０００８】
さらに、ボックス構造は、第１、第２、第３変形プレート内壁に設けられ衝撃吸収のため
の衝撃吸収保護シートをさらに備え、衝撃吸収保護シートは、第１、第２、第３変形プレ
ート内壁一側に固定された固定板と、衝撃吸収ばねを介して固定板に接続された柔らかい
パッドを含む。本発明は、衝撃吸収保護シートを追加することにより、可動ボックスに対
する変形ハウジングの保護効果を効果的に向上し、変形ハウジングが重い物体にぶつかっ
て沈み込む可能性があり、衝撃吸収保護シートにより二級の衝撃を吸収し、可動ボックス
の損傷を最小限に抑えることができる。
【０００９】
さらに、ボックス構造は、可動ボックス内に設置されたＵＰＳ電源をさらに含み、モータ
アセンブリおよびコンピュータの給電電源に接続される。本発明は、ＵＰＳ電源を設置し
てボックス構造と連携することにより、地震、火災の際に停電が発生した場合にコンピュ
ータのデータ保存およびボックス変形駆動の給電要求を満たし、様々な緊急事態に対する
ボックスの保護効果をさらに向上できる。
【００１０】
さらに、放熱ポート部材は、主に以下を含み、放熱開口の内壁側板に回転軸を介して接続
された複数組の回転ブレードは、可動ボックスの通気と閉鎖を切り替え、その側壁に、液
体二酸化炭素を噴霧するためのノズルの噴霧部、隣接する回転ブレードの合併のための接
合部が設けられ、回転ブレードの上下端面の縁端にそれぞれ空気を導くためのトリガーイ
ンターフェースが設けられ、その上にトリガーガイドが設けられ、可動ボックスの中間層
に埋め込まれたダクトは、トリガーインターフェースが回転した後の位置に対応する箇所
に放熱開口の内壁側板を貫通するトリガーヘッドが設けられ、可動ボックスの後側下部に
位置するスロットタンク内に、ダクトとパイプラインを介して接続されたドライアイス消
火器タンクが配置され、ただし、ただし、スロットタンクの外部ギャップにアスベスト板
で作られた保護ドアが設けられ、小型電気プッシュロッドがリレーを介してシングルチッ
プマイクロコンピュータに接続される。本発明は、放熱ポート部材により、放熱開口の放
熱および閉鎖調節ができ、トリガーガイドと協働し、トリガーヘッドの作用により、閉鎖
の場合可動ボックス内部および外部にドライアイスを噴霧し冷却および消火を実現し、可
能な限り時間を遅らせ可動ボックスの熱損傷を減らし、火災の際に閉鎖の可動ボックスに
より火災のコンピュータコア部分に対する影響を低減し、最大限にコンピュータを保護す
る。
【００１１】
本発明のある態様によれば、放熱ポート部材は調節ギアと直線ラックの伝動構造を採用し
、それは、放熱開口内壁に位置し回転軸に接続された調節ギア、その外側に配置された噛
合可能な直線ラックを含み、直線ラックの両側が可動ボックス内壁に設けられたガイド溝
によって制限固定され、その一端が可動ボックス内壁に設けられた小型電気プッシュロッ
ドの出力端に接続され、この伝動構造により、小型電気プッシュロッドにより各回転ブレ
ードを駆動しフラットに回転し、この伝動構造はドライアイス消火器タンクのタンク寸法
が小さい（タンク内の圧力が小さい）の場合に適し、噴霧量が少なく、小さなケースに適
し、それに応じて弾性力が小さい円筒ばねを選択し、実際のドライアイス消火器タンクの
収容空間のサイズに応じて、対応する伝動構造を選択する。
【００１２】
本発明のある態様によれば、放熱ポート部材は、回転ブロックと伝動ロッドの伝動構造を
採用し、それは、放熱開口内壁に位置し回転軸に接続された回転ブロック、その外側に配
置され伝動リングとレバーを介して接続された伝動ロッドを含み、レバーが伝動ロッドと
レバーシュートを介して摺動接続され、伝動ロッドの両側が可動ボックス内壁に設けられ
たガイド溝によって制限固定され、その一端が可動ボックス内壁に設けられた小型電気プ
ッシュロッドの出力端に接続され、この伝動構造により、小型電気プッシュロッドによっ
て各回転ブレードを駆動しフラットに回転し、この伝動構造はドライアイス消火器タンク
のタンク寸法が大きい（タンク内の圧力が大きい）の場合に適し、噴霧量が大きく大きな
ケースに適し、それに応じて弾性力が大きい円筒ばねを選択し、実際のドライアイス消火
器タンクの収容空間のサイズに応じて、対応する伝動構造を選択する。
【００１３】
またさらに、トリガーガイドは、可動プランジャーの緩やかな収縮を案内するガイドプレ
ート、ガイドプレートの中央に位置しトリガーインターフェースに連通され、上部の外保
持溝と下部の内保持溝で構成され、可動プランジャーを封止と制限するための２段式フィ
ッティングヘッドを含み、ガイドプレートにより、トリガーガイドによるトリガーヘッド
のプッシュ効果を高め、伝動構造の伝動効率を向上させ、２段式フィッティングヘッドに
より、可動プランジャーのトリガーストロークを制御し、その前端を一定の深さまで外保
持溝と内保持溝の間に埋め込み、ジョイントを塞ぐ役割を果たし、これにより、ドライア
イス剤が回転する回転ブレードにスムーズに導入され、装置によって達成される効果が向
上する。
【００１４】
またさらに、トリガーヘッドは、噴射を案内および制御するためのノズルシリンダ、ノズ
ルシリンダの前端に位置し可動に封止接続された可動プランジャー、その前端に設けられ
たトリガーインターフェースと接合する液吐出口、その後部周方向に設けられた可動プラ
ンジャーの伸縮深さに応じて噴射を案内するための液案内ポートを含み、可動プランジャ
ーの後端にエンドピースが設けられ、可動プランジャーの後部に設けられた保持リングと
円筒ばねを介して接続され、上記構造の設計により、トリガーガイドの作用下で可動プラ
ンジャーが押され、圧力ノズルのような作用を達成し、これにより、トリガーガイドの作
用でドライアイス剤を放出し、放熱ポート部材の機能実現を保障する。
【００１５】
またさらに、上記ボックス構造は、回転ブレードの接合部に設けられ、内部に磁性材料が
充填され、磁性を持たせ、隣接する回転ブレードの吸着接合の封止効果を高めるシールス
トリップと、放熱開口外側に設けられ、可動ボックスの外壁にスロット溝を介してスライ
ドし着脱可能に接続された防塵ネットとをさらに備え、回転ブレードは、ストレートプレ
ートタイプ、ダイヤモンドタイプ、アークタイプを有し、ステンレス鋼で形成されるが、
これらの外形および材質に限定されない。シールストリップにより、隣接する回転ブレー
ド突合せ接合部のシール効果を向上し、同時に磁性材料の作用で回転ブレード材質を吸引
作用し、突合せ接合部のシール効果をさらに向上させ、回転ブレードのモード切替効果を
高める。
【発明の効果】
【００１６】
本発明は以下のような有益な効果を有する。
（１）本発明は、変形構造の設計により、コンピュータの放熱および危険の場合のコンピ
ュータ保護問題を解決し、シングルドライブまたはデュアルドライブの作用によれば、変
形切り替えを実現でき、美観で、コンピュータの放熱に影響を与えず、且つ地震や火災の
際にコンピュータ保護効果が高いなどの利点を有する。
（２）本発明は、放熱ポート部材構造の設計および設置により、放熱開口の放熱および閉
鎖調節を実現し、トリガーガイドと協働し、トリガーヘッドの作用により閉鎖の可動ボッ
クスの内部および外部にドライアイスを噴霧し降温消火を実現し、できるだけ時間を遅ら
せ可動ボックスの熱損傷を減らし、最大限にコンピュータを保護する。
【図面の簡単な説明】
【００１７】
【図１】発明のボックス変形一の全体構造外観図一である。
【図２】発明のボックス変形二の全体構造外観図二である。
【図３】発明の実施例１のボックスの全体構造正面図である。
【図４】発明の実施例１のボックス変形一の全体構造側面図である。
【図５】発明の実施例１のボックス変形一の内部構造側面図である。
【図６】発明の実施例１のボックス変形二の全体構造側面図である。
【図７】発明の実施例１のボックス変形二の内部構造側面図である。
【図８】発明の第１変形プレートの内部構造の模式図である。
【図９】発明の第２変形プレートの内部構造の模式図である。
【図１０】発明の円弧状の駆動レールの構造模式図である。
【図１１】発明の伝動部材の構造模式図である。
【図１２】発明のモータアセンブリの構造模式図である。
【図１３】発明の実施例２ボックスの全体構造正面図である。
【図１４】発明の実施例２の可動ボックス内側壁の構造模式図である。
【図１５】発明の図１４のＡの構造拡大図である。
【図１６】発明の直線ラックと調節ギアの伝動関係を示す一部構造平面図である。
【図１７】発明の回転ブレードの一部構造模式図である。
【図１８】発明のノズルシリンダの構造模式図である。
【図１９】発明のトリガーガイドの構造模式図である。
【図２０】発明の実施例３の可動ボックスの内側壁の構造模式図である。
【図２１】発明の図２０のＢの構造拡大図である。
【図２２】発明の伝動ロッドと回転ブロックの伝動関係を示す一部構造平面図である。
【図２３】発明の実施例４のボックスの全体構造正面図である。
【図２４】発明の実施例４のボックスの全体構造側面図である。
【図２５】発明の図２４のＣの構造拡大図である。
【００１８】
［符号の説明］
１    可動ボックス
１１    放熱開口
１２    プッシュブロック
１３    センサー
１４    シングルチップマイクロコンピュータ
１５    ガイド溝
１６    防塵ネット
１７    スロットタンク
１８    保護ドア
１９    キャリアボード
２    変形ハウジング
２１    第１変形プレート
２２    第２変形プレート
２３    第３変形プレート
３    放熱ポート部材
３１    回転ブレード
３１１    トリガーインターフェース
３１２    ノズル
３２    ダクト
３２１    トリガーヘッド
３３    調節ギア
３４    直線ラック
３５    小型電気プッシュロッド
３６    ドライアイス消火器タンク
３７    ノズルシリンダ
３７１    可動プランジャー
３７２    液吐出口
３７３    液案内ポート
３７４    エンドピース
３７５    保持リング
３７６    円筒ばね
３８    トリガーガイド
３８１    ２段式フィッティングヘッド
３８２    ガイドプレート
３８３    外保持溝
３８４    内保持溝
３９    伝動ロッド
３９１    回転ブロック
３９２    伝動リング
３９３    レバー
３９４    レバーシュート
４    コーナーコネクタ
４１    スライドスロット
４２    可動ロッド
４３    伝動板
４４    ギアロッド
４５    駆動ギア
５    モータアセンブリ
５１    回転モータ
５２    大型電気プッシュロッド
５３    ソケット
６    円弧状の駆動レール
６１    レール溝
６２    スライダー
６３    溝
６４    シュート
７    伝動部材
７１    中心回転ロッド
７２    可動ロッド
７３    伝動ギア
７４    円弧状ラック
７５    ねじりばね
８    衝撃吸収保護シート
８１    固定板
８２    衝撃吸収ばね
８３    柔らかいパッド
【発明を実施するための形態】
【００１９】
実施例１
図３に示すように、コンピュータマザーボードが搭載され変形可能な可動ボックス１は、
その左、右、上、下側面にそれぞれ１つの放熱と換気のための放熱開口１１が設けられ、
その開口に調節と放熱のための放熱ポート部材３が搭載され、可動ボックス１内の中央に
コンピュータマザーボードおよび関連部材を装着するためのキャリアボード１９が設けら
れる。
【００２０】
図３、１４に示すように、可動ボックス１の一側面に埋め込まれたセンサー１３およびシ
ングルチップマイクロコンピュータ１４は、煙の温度を監視し、モータアセンブリ５を制
御して可動ボックス１の回転伸縮を駆動する。
【００２１】
図１２に示すように、モータアセンブリ５は、強化接続されたソケット５３と、モータア
センブリ５がソケット５３を介して第２変形プレート２２内壁にねじ接続され、ソケット
５３の下部に位置し、出力端が大型電気プッシュロッド５２に接続される回転モータ５１
と、出力端が接続具を介して可動ボックス１の対応側面にボルトで接続され、ソケット５
３の上部に位置し回転可能に接続される大型電気プッシュロッド５２と、を含みただし、
前記回転モータ５１、大型電気プッシュロッド５２は、それぞれリレーを介して前記シン
グルチップマイクロコンピュータ１４に接続される。本発明は、ソケットの設計により、
回転モータと大型電気プッシュロッドを統合し、変形ハウジングとの接続安定性を高め、
同時に日常の分解と保守にも便利である。
【００２２】
図４〜７に示すように、変形して放熱と保護を切り替えるための変形ハウジング２は、可
動ボックス１の上下側面に対称に設けられた第１変形プレート２１と、可動ボックス１の
前後側面に対称に設けられた第２変形プレート２２と、第１変形プレート２１の両側に対
称に設けられた第３変形プレート２３を含み、第１変形プレート２１、第２変形プレート
２２の上部に位置するスライドスロット４１は、コーナーコネクタ４の可動ロッド４２、
伝動板４３、ギアロッド４４、駆動ギア４５と接続され、２つの第２変形プレート２２の
中央に位置するモータアセンブリ５は、可動ボックス１の両側に着脱可能に接続され、２
つの第１変形プレート２１に位置する円弧状の駆動レール６を備える。
【００２３】
図１０に示すように、円弧状の駆動レール６は、円弧状の駆動レール６上に位置する２組
のレール溝６１、溝内にそれぞれ設けられたスライダー６２、円弧状の駆動レール６の中
央に位置し伝動部材７を収容するための溝６３を含む。
【００２４】
図１１に示すように、伝動部材７は、両側の可動ロッド７２の動作を駆動するための中心
回転ロッド７１、中心回転ロッド７１の両端に可動可能に接続された可動ロッド７２、円
弧状の駆動レール６の中央における中心回転ロッド７１に対応する位置に設けられた伝動
ギア７３を含み、前記伝動ギア７３は円弧状の駆動レール６を貫通して中心回転ロッド７
１の中心と接続され、接続箇所に回転および回復ためのねじりばね７５が設けられ、円弧
状の駆動レール６のシュート６４内に円弧状ラック７４が設けられ、その端部がスライダ
ー６２に接続され、伝動ギア７３で伝動される。
【００２５】
図３に示すように、第３変形プレート２３は第１変形プレート２１とヒンジを介して接続
され、且つ回転軸を介して可動ロッド７２の外端に接続され、可動ボックス１の四隅に設
けられたプッシュブロック１２は、円弧状の駆動レール６のスライダー６２と配合し伝動
される。
【００２６】
可動ボックス１内に設けられたＵＰＳ電源は、モータアセンブリ５およびコンピュータの
給電電源に接続される。本発明は、ＵＰＳ電源を設置してボックス構造と連携することに
より、地震、火災の際に停電が発生した場合にコンピュータのデータ保存およびボックス
変形駆動の給電要求を満たし、様々な緊急事態に対するボックスの保護効果をさらに向上
できる。
【００２７】
本発明の変形構造の設計を使用して、変形切替によりコンピュータの放熱および危険の場
合のコンピュータ保護問題を解決し、解決すべき主な技術的問題は、駆動部品を削減し変
形故障の発生を減らし、第１変形プレート２１内に設けられた円弧状の駆動レール６、伝
動部材７と可動ボックス１の回転により第３変形プレート２３の開閉を実現し、第２変形
プレート２２内の伝動構造により第１変形プレート２１の昇降を実現し、上記の伝動構造
はモータアセンブリ５に接続され、保護ボックスの構造的変形をシングルドライブまたは
デュアルドライブで効果的に実現でき、ただし、可動ボックス１の一方側にモータアセン
ブリ５が、もう他方側に回転軸が設けられるモードはシングルドライブであり、モータア
センブリ５のモータ出力が高く、ＵＰＳ電源に対する要求が高く、可動ボックス１の両側
にそれぞれモータアセンブリ５が設けられる設置モードはデュアルドライブであり、モー
タアセンブリ５のモータ出力が小さく、ＵＰＳ電源に対する要求が低いため、実際のニー
ズに応じて適宜に配置すればよい。
【００２８】
上記ボックス構造の動作方法は次の通りである。
本発明のボックス構造の通常使用状態が図１に示され、耐震および防火の保護状態が図２
に示され、地震や火災の際に、センサー１３によって検出され、シングルチップマイクロ
コンピュータ１４を使用してモータアセンブリ５を起動するように指令を処理および送信
し、ただし、センサー１３には煙センサー、温度センサー、ノックセンサーが含まれるが
、これらに限定されず、使用地域の実際状況に応じて他のセンサーを追加してもよい。
【００２９】
モータアセンブリ５が起動すると、回転モータ５１、大型電気プッシュロッド５２が同時
に起動し、可動ボックス１が回転すると同時に、大型電気プッシュロッド５２の駆動作用
下で両側の第２変形プレート２２も可動ボックス１へ折り畳み、第２変形プレート２２内
の伝動構造の回転作用下で上下両側の第１変形プレート２１も可動ボックス１へ折り畳み
、可動ボックス１が上下両側の第１変形プレート２１の円弧状の駆動レール６まで回転す
ると、対応するプッシュブロック１２によってスライダー６２を押してレール溝６１にそ
って他端まで移動し、移動間円弧状ラック７４を駆動しシュート６４に沿って移動させ伝
動ギア７３と噛み合うことにより、伝動ギア７３が回転し中心回転ロッド７１を水平位置
まで回転させ、次に両側の可動ロッド７２が引っ張られてリセットされ、第１変形プレー
ト２１の両側の第３変形プレート２３が閉じられ、ただし、第２変形プレート２２内の伝
動構造の動作原理は以下のとおりであり、回転モータ５１が起動すると駆動ギア４５が回
転し両側のギアロッド４４を内側に移動させ、伝動板４３に設けられた貫通スロットを通
過させるため、第１変形プレート２１の移動調節を実現する。
【００３０】
第１変形プレート２１、第２変形プレート２２、第３変形プレート２３の折り畳みにより
、図１の通常状態から図２の保護状態に切り替え、変形ハウジング２により可動ボックス
１を保護および隔離し、一定の耐震と防火効果がある。
【００３１】
実施例２
本実施例は、放熱ポート部材３が追加されることを除いて、基本的に実施例１と同じであ
る。
図１３、１４に示すように、放熱ポート部材（３）は、主に以下を含み、放熱開口（１１
）の内壁側板に回転軸を介して接続された複数組の回転ブレード（３１）は、可動ボック
ス（１）の通気と閉鎖を切り替え、その側壁に、液体二酸化炭素を噴霧するためのノズル
（３１２）の噴霧部、隣接する回転ブレード（３１）の合併のための接合部が設けられ、
回転ブレード（３１）の上下端面の縁端にそれぞれ空気を導くためのトリガーインターフ
ェース（３１１）が設けられ、その上にトリガーガイド（３８）が設けられ、可動ボック
ス（１）の中間層に埋め込まれたダクト（３２）は、トリガーインターフェース（３１１
）が回転した後の位置に対応する箇所に放熱開口（１１）の内壁側板を貫通するトリガー
ヘッド（３２１）が設けられ、可動ボックス（１）の後側下部に位置するスロットタンク
（１７）内に、ダクト（３２）とパイプラインを介して接続されたドライアイス消火器タ
ンク（３６）が配置され、ただし、スロットタンク（１７）の外部ギャップにアスベスト
板で作られた保護ドア（１８）が設けられ、小型電気プッシュロッド（３５）がリレーを
介してシングルチップマイクロコンピュータ（１４）に接続される。
【００３２】
図１３、１７に示すように、シールストリップ（３６）は、回転ブレード（３１）の接合
部に設けられ、内部に磁性材料が充填され、磁性を持たせ、隣接する回転ブレード（３１
）の吸着接合の封止効果を高め、防塵ネット（１６）は、放熱開口（１１）外側に設けら
れ、可動ボックス（１）の外壁にスロット溝を介してスライドし着脱可能に接続され、回
転ブレード（３１）は、ストレートプレートタイプ、ダイヤモンドタイプ、アークタイプ
を有し、ステンレス鋼で形成される。シールストリップ３６により、隣接する回転ブレー
ド３１突合せ接合部のシール効果を向上し、同時に磁性材料の作用で回転ブレード３１材
質を吸引作用し、突合せ接合部のシール効果をさらに向上させ、回転ブレード３１のモー
ド切替効果を高める。
【００３３】
図１５、１６に示すように、放熱ポート部材３は調節ギア３３と直線ラック３４の伝動構
造を採用し、それは、放熱開口１１内壁に位置し回転軸に接続された調節ギア３３、その
外側に配置された噛合可能な直線ラック３４を含み、直線ラック３４の両側が可動ボック
ス１内壁に設けられたガイド溝１５によって制限固定され、その一端が可動ボックス１内
壁に設けられた小型電気プッシュロッド３５の出力端に接続され、この伝動構造により、
小型電気プッシュロッド３５により各回転ブレード３１を駆動しフラットに回転し、この
伝動構造はドライアイス消火器タンク３６のタンク寸法が小さい（タンク内の圧力が小さ
い）の場合に適し、噴霧量が少なく、小さなケースに適し、それに応じて弾性力が小さい
円筒ばね３７６を選択し、実際のドライアイス消火器タンク３６の収容空間のサイズに応
じて、対応する伝動構造を選択する。
【００３４】
図１９に示すように、トリガーガイド３８は、可動プランジャー３７１の緩やかな収縮を
案内するガイドプレート３８２、ガイドプレート３８２の中央に位置しトリガーインター
フェース３１１に連通され、上部の外保持溝３８３と下部の内保持溝３８４で構成され、
可動プランジャー３７１を封止と制限するための２段式フィッティングヘッド３８１を含
み、ガイドプレート３８２により、トリガーガイド３８によるトリガーヘッド３２１のプ
ッシュ効果を高め、伝動構造の伝動効率を向上させ、２段式フィッティングヘッド３８１
により、可動プランジャー３７１のトリガーストロークを制御し、その前端を一定の深さ
まで外保持溝３８３と内保持溝３８４の間に埋め込み、ジョイントを塞ぐ役割を果たし、
これにより、ドライアイス剤が回転する回転ブレード３１にスムーズに導入され、装置に
よって達成される効果が向上する。
【００３５】
図１８に示すように、トリガーヘッド３２１は、噴射を案内および制御するためのノズル
シリンダ３７、ノズルシリンダ３７の前端に位置し可動に封止接続された可動プランジャ
ー３７１、その前端に設けられたトリガーインターフェース３１１と接合する液吐出口３
７２、その後部周方向に設けられた可動プランジャー３７１の伸縮深さに応じて噴射を案
内するための液案内ポート３７３を含み、可動プランジャー３７１の後端にエンドピース
３７４が設けられ、可動プランジャー３７１の後部に設けられた保持リング３７５と円筒
ばね３７６を介して接続され、上記構造の設計により、トリガーガイド３８の作用下で可
動プランジャー３７１が押され、圧力ノズルのような作用を達成し、これにより、トリガ
ーガイド３８の作用でドライアイス剤を放出し、放熱ポート部材の機能実現を保障する。
【００３６】
本発明は、放熱ポート部材３の設置により、放熱開口１１の放熱および閉鎖調節を実現し
、トリガーガイド３８と協働し、トリガーヘッド３２１の作用により閉鎖の可動ボックス
１の内部および外部にドライアイスを噴霧し降温消火を実現し、できるだけ時間を遅らせ
可動ボックス１の熱損傷を減らし、火災の際に閉鎖の可動ボックス１により火災のコンピ
ュータコア部分に対する影響を低減し、最大限にコンピュータを保護する。
【００３７】
上記ボックス構造の動作方法は以下の通りであり。センサー１３が煙と温度の異常を検出
すると、シングルチップマイクロコンピュータ１４の認識によりリレーを介して小型電気
プッシュロッド３５を起動させ、伝動構造によって回転ブレード３１を回転させ隣接の回
転ブレード３１と接合し、同時に、トリガーガイド３８によってトリガーヘッド３２１を
トリガーし、ドライアイス消火器タンク３６内のドライアイス剤がパイプライン、ダクト
３２、トリガーヘッド３２１に沿って回転ブレード３１に導入し、回転ブレード３１の噴
霧部内外両側のノズル３１２によってドライアイス剤を噴射し、可動ボックス１の内部お
よび外部を降温消火し、保護を最大化し、救助時間を延長し、コンピュータの損傷を減ら
し、より深刻な損失を防ぐ。
【００３８】
ただし、調節ギア３３と直線ラック３４を採用する伝動構造の動作方法は以下のとおりで
あり、小型電気プッシュロッド３５が起動すると直線ラック３４を移動させ、直線ラック
３４と調節ギア３３の噛合作用により、各調節ギア３３を回転させ、ひいては各回転ブレ
ード３１を回転させる。
【００３９】
トリガーガイド３８とトリガーヘッド３２１の動作原理は以下の通りであり、回転ブレー
ド３１が回転すると、トリガーガイド３８のガイドプレート３８２が可動プランジャー３
７１と接触し、ガイドプレート３８２の傾斜に沿って徐々に上昇し、液案内ポート３７３
がノズルシリンダ３７の連通箇所に上昇するまで圧縮され、その後移動し続け、可動プラ
ンジャー３７１の前端の一部が２段式フィッティングヘッド３８１の内部に進入し、その
前端が内保持溝３８４の壁に係合され、ドライアイス剤が液案内ポート３８２、可動プラ
ンジャー３７１、液吐出口３７２、２段式フィッティングヘッド３８１によって回転ブレ
ード３１内に導入される。
【００４０】
実施例３
本実施例は、調節ギア３３および直線ラック３４を用いた放熱ポート部材３の伝動構造が
、回転ブロック３９１および伝動ロッド３９の伝動構造に置き換えられることを除いて基
本的に実施例３と同じである。
【００４１】
図２０〜２２に示すように、放熱開口１１内壁に位置し回転軸に接続された回転ブロック
３９１、その外側に配置され伝動リング３９２とレバー３９３を介して接続された伝動ロ
ッド３９を含み、レバー３９３が伝動ロッド３９とレバーシュート３９４を介して摺動接
続され、伝動ロッド３９の両側が可動ボックス１内壁に設けられたガイド溝１５によって
制限固定され、その一端が可動ボックス１内壁に設けられた小型電気プッシュロッド３５
の出力端に接続され、この伝動構造により、小型電気プッシュロッド３５によって各回転
ブレード３１を駆動しフラットに回転し、この伝動構造はドライアイス消火器タンク３６
のタンク寸法が大きい（タンク内の圧力が大きい）の場合に適し、噴霧量が大きく大きな
ケースに適し、それに応じて弾性力が大きい円筒ばね３７６を選択し、実際のドライアイ
ス消火器タンク３６の収容空間のサイズに応じて、対応する伝動構造を選択する。
【００４２】
上記ボックス構造の動作方法について、回転ブロック３９１と伝動ロッド３９を採用した
伝動構造の動作方法は以下の通りであり、小型電気プッシュロッド３５が起動すると伝動
ロッド３９を移動させ、伝動ロッド３９上のレバー３９３と伝動リング３９２の協働によ
って回転ブロック３９１を旋回し、同時にレバーシュート３９４によって補償レバー３９
３の回転時のアーク経路を調節し、各回転ブロック３９１の回転によって回転ブレード３
１を回転させる。
【００４３】
実施例４
本実施例は、第１、第２、第３変形プレート２１、２２、２３の内壁に衝撃吸収保護シー
ト８を追加することを除いて、基本的に実施例１と同じである。
【００４４】
図２３〜２５に示すように、衝撃吸収保護シート８は衝撃を吸収するために第１、第２、
第３変形プレート２１、２２、２３内壁に設けられ、衝撃吸収保護シート８は、第１、第
２、第３変形プレート２１、２２、２３内壁一側に固定された固定板８１と、衝撃吸収ば
ね８２を介して固定板８１に接続された柔らかいパッド８３とを含む。本発明は、衝撃吸
収保護シート８を追加することにより可動ボックス１に対する変形ハウジング２の保護効
果を向上し、変形ハウジング２が重い物体にぶつかって沈み込む可能性があり、衝撃吸収
保護シート８により二級の衝撃を吸収し、可動ボックス１の損傷を最小限に抑えることが
できる。
【００４５】
上記ボックス構造の動作方法は以下の通りであり、第１、第２、第３変形プレート２１、
２２、２３が外力で押されて変形すると、衝撃吸収保護シート８によって、第１、第２、
第３変形プレート２１、２２、２３の構造変形による大きな衝撃力を緩和し、可動ボック
ス１に対する損傷を減らし、保護効果をさらに向上させる。
【００４６】
上記の各実施例では使用されるセンサー１３、シングルチップマイクロコンピュータ１４
、小型電気プッシュロッド３５、回転モータ５１、大型電気プッシュロッド５２などは、
従来の技術におけるよく使われる電子デバイス、または従来技術に基づき外観が適宜調整
されたものであるので、ここでは詳細な説明を省略する。
【要約】
本発明は、変形可能なコンピュータ保護ボックス構造を開示し、前記ボックス構造は可動
ボックス、変形ハウジングを備え、変形ハウジングの変形切り替えにより、通常使用の放
熱状態と耐震および防火の保護状態を自動的に切り替え、安全性が高く、同時に放熱ポー
ト部材などの部材を使用して、ボックスの防火保護効果をさらに強化し、防火保護効果が
優れている。【図１】
0006735982.tif 000002
【図２】
0006735982.tif 000003
【図３】
0006735982.tif 000004
【図４】
0006735982.tif 000005
【図５】
0006735982.tif 000006
【図６】
0006735982.tif 000007
【図７】
0006735982.tif 000008
【図８】
0006735982.tif 000009
【図９】
0006735982.tif 000010
【図１０】
0006735982.tif 000011
【図１１】
0006735982.tif 000012
【図１２】
0006735982.tif 000013
【図１３】
0006735982.tif 000014
【図１４】
0006735982.tif 000015
【図１５】
0006735982.tif 000016
【図１６】
0006735982.tif 000017
【図１７】
0006735982.tif 000018
【図１８】
0006735982.tif 000019
【図１９】
0006735982.tif 000020
【図２０】
0006735982.tif 000021
【図２１】
0006735982.tif 000022
【図２２】
0006735982.tif 000023
【図２３】
0006735982.tif 000024
【図２４】
0006735982.tif 000025
【図２５】
0006735982.tif 000026